(57)【要約】【課題】オペレータと管理者の両方の利便性を維持しつつ、セキュリティ性を向上できる建設機械の盗難防止装置を提供する【解決手段】第１盗難防止装置４０は、第1照合部４３がＩＤ１とＩＤ２とを照合した結果、ＩＤ１とＩＤ２とが一致する場合は、ＩＤ１を第２盗難防止装置５０に出力し、キー信号判定部４６がキーONと判定してから所定時間内にＩＤ１を認識できない場合は、ＩＤ２を第２盗難防止装置５０に出力する。第２盗難防止装置５０は、ＩＤ１を入力し、第３照合部５５がＩＤ１とＩＤ４とを照合した結果、ＩＤ１とＩＤ４とが一致する場合は、許可信号を出力し、ＩＤ２を入力し、第４照合部５６がＩＤ２とＩＤ４とを照合した結果、ＩＤ２とＩＤ４とが一致し、さらに第２照合部５４がＩＤ３とＩＤ４とを照合した結果、ＩＤ３とＩＤ４とが一致する場合は、許可信号を出力する。【選択図】  図４
2011011672.tif 000002
【特許請求の範囲】
【請求項１】
第1照合情報を記憶する非接触媒体との送受信をおこなう非接触媒体送受信部と、第２照合情報を記憶する第1記憶部と、第1照合情報と第２照合情報とを照合する第1照合部とを有する第１盗難防止装置と、
外部入力装置と、
この外部入力装置から第３照合情報を入力する入力部と、第４照合情報を記憶する第２記憶部と、第３照合情報と第４照合情報とを照合する第２照合部と、機械動作の禁止状態を解除するための許可信号または機械動作の禁止状態を維持する禁止信号のいずれかの信号を出力する機械動作許可・禁止制御手段を有する第２盗難防止装置とを備えた建設機械の盗難防止装置において、
前記第１盗難防止装置は、キー信号を入力しON・OFFを判定する第1キー信号判定部を有し、
前記第２盗難防止装置は、第１照合情報と第４照合情報とを照合する第３照合部と、第２照合情報と第４照合情報とを照合する第４照合部とを有し、
前記第１盗難防止装置は、
前記第1照合部が第1照合情報と第２照合情報とを照合した結果、第1照合情報と第２照合情報とが一致する場合は、第1照合情報を前記第２盗難防止装置に出力し、
前記第1キー信号判定部がキーONと判定してから所定時間内に第1照合情報を認識できない場合は、第２照合情報を前記第２盗難防止装置に出力し、
前記第２盗難防止装置は、
第1照合情報を入力し、前記第３照合部が第1照合情報と第４照合情報とを照合した結果、第1照合情報と第４照合情報とが一致する場合は、許可信号を出力し、
第２照合情報を入力し、前記第４照合部が第２照合情報と第４照合情報とを照合した結果、第２照合情報と第４照合情報とが一致し、さらに前記第２照合部が第３照合情報と第４照合情報とを照合した結果、第３照合情報と第４照合情報とが一致する場合は、許可信号を出力することを特徴とする建設機械の盗難防止装置。
【請求項２】
請求項１記載の建設機械の盗難防止装置において、
前記第２盗難防止装置は、第1照合情報を入力し、前記第３照合部が第1照合情報と第４照合情報とを照合した結果、第1照合情報と第４照合情報とが一致しない場合は、禁止信号を出力することを特徴とする建設機械の盗難防止装置。
【請求項３】
請求項１記載の建設機械の盗難防止装置において、
前記第２盗難防止装置は、第２照合情報を入力し、前記第４照合部が第２照合情報と第４照合情報とを照合した結果、第２照合情報と第４照合情報とが一致しない場合は、禁止信号を出力することを特徴とする建設機械の盗難防止装置。
【請求項４】
請求項１記載の建設機械の盗難防止装置において、
前記第２盗難防止装置は、キー信号を入力しON・OFFを判定する第２キー信号判定部を有し、前記第２キー信号判定部がキーONと判定してから所定時間内に第1照合情報と第２照合情報とのいずれも認識できない場合は、禁止信号を出力することを特徴とする建設機械の盗難防止装置。
【請求項５】
請求項１記載の建設機械の盗難防止装置において、
前記第１照合情報は、第１ＩＤ情報と第１暗証番号を含み、
前記第２照合情報は、第２ＩＤ情報を含み、
前記第３照合情報は、第３暗証番号を含み、
前記第４照合情報は、第４ＩＤ情報と第４暗証番号とを含み、
前記第２盗難防止装置は、
第1照合情報を入力し、前記第３照合部が第1照合情報と第４照合情報とを照合した結果、第1ＩＤ情報と第４ＩＤ情報とが一致し、かつ第1暗証番号と第４暗証番号とが一致する場合は、第1照合情報と第４照合情報とが一致したとして、許可信号を出力し、
第２照合情報を入力し、前記第４照合部が第２照合情報と第４照合情報とを照合した結果、第２ＩＤ情報と第４ＩＤ情報とが一致し、さらに前記第２照合部が第３照合情報と第４照合情報とを照合した結果、第３暗証番号と第４暗証番号とが一致する場合は許可信号を出力することを特徴とする建設機械の盗難防止装置。
【請求項６】
請求項５記載の建設機械の盗難防止装置において、
第５ＩＤ情報と第５暗証番号とを含む第５照合情報と書換後の暗証番号となる第６暗証番号とを含む第６照合情報とを記憶する第３記憶部を有し、着脱自在に装着される照合情報書換装置をさらに備え、
前記第２盗難防止装置は、
第４照合情報と第５照合情報とを照合する第５照合部をさらに有し、
前記照合情報書換装置が装着されると第５照合情報を入力し、前記第５照合部が第４照合情報と第５照合情報とを照合した結果、第４ＩＤ情報と第５ＩＤ情報とが一致し、かつ第４暗証番号と第５暗証番号とが一致する場合は、第６照合情報を入力し、第２記憶部に記憶された第４暗証番号を第６暗証番号に書き換えることを特徴とする建設機械の盗難防止装置。
【請求項７】
請求項６記載の建設機械の盗難防止装置において、
前記第１盗難防止装置は、
第２照合情報と第５照合情報とを照合する第６照合部をさらに有し、
前記照合情報書換装置が装着されると第５照合情報を入力し、前記第６照合部が第２照合情報と第５照合情報とを照合した結果、第２ＩＤ情報と第５ＩＤ情報とが一致し、かつ前記第1照合部が第1照合情報と第２照合情報とを照合した結果、第1ＩＤ情報と第２ＩＤ情報とが一致する場合は、前記非接触媒体送受信部を介して第５暗証番号を前記非接触媒に出力し、前記非接触媒に記憶されている第１暗証番号を第５暗証番号に書き換えることを特徴とする建設機械の盗難防止装置。
【発明の詳細な説明】
【技術分野】
【０００１】
本発明は油圧ショベルなどの建設機械の盗難防止装置に関する。
【背景技術】
【０００２】
油圧ショベルなどの建設機械は一般的に、機械の非動作時において機械の動作を禁止状態とし、照合をおこない照合情報が一致すると許可信号が出力され、機械の始動時に禁止状態を解除する盗難防止装置を備えている。例えば、特許文献１に記載の盗難防止装置はテンキー入力装置を設け、このテンキー入力装置より暗証番号を入力し、暗証番号による照合が一致すると、許可信号が出力される。特許文献２に記載の盗難防止装置は通信装置を設け、この通信装置を介してＩＤ情報が記憶されたＩＤキーが送信するＩＤ情報を受信し、ＩＤ情報による照合が一致すると、許可信号が出力される。特許文献３に記載の盗難防止装置は、暗証番号とＩＤキーが送信するＩＤ情報とＧＰＳ位置情報とに基づいて照合をおこない、すべての照合情報が一致すると許可信号が出力される。
【０００３】
ところで、近年、油圧ショベルなどの建設機械の稼動実態は、レンタル業者が大量購入して、必要に応じ土木工事等を行う顧客に貸し出す形態が主流になっている。暗証番号による照合をおこなう盗難防止装置によれば、暗証番号を知らない第三者による始動を禁止し、盗難を防止することができるが、顧客であるオペレータは作業開始の度に暗証番号を入力するセキュリティ管理の煩わしさを感じる。また、備忘録として暗証番号を記載したメモを車内の見やすい場所に添付するオペレータもおり、暗証番号が盗難者に知られる可能性もある。オペレータが自分の憶えやすい暗証番号に変更する場合もある。この場合、レンタル業者が管理者として故障修理のために建設機械の始動をしようとしても、暗証番号が変更されて始動できないという不具合が生じる。
【０００４】
ＩＤキーによる照合をおこなう盗難防止装置によれば、オペレータは暗証番号を入力するセキュリティ管理の煩わしさから逃れられる。また、ＩＤ情報は膨大な情報量にも対応でき、簡単に盗難者に知られる可能性は低い。しかし、セキュリティ管理の観点から管理者はＩＤキーを１本のみ作成し、そのＩＤキーをオペレータに貸し出すことも多い。この場合、管理者が故障修理のために建設機械の始動をしようとしても、ＩＤキーがなく始動できないという不具合が生じる。
【０００５】
すなわち、オペレータはＩＤキーによる照合をおこなう盗難防止装置を用い、管理者は暗証番号による照合をおこなう盗難防止装置を用いると、両者にとって利便性がよい。
【先行技術文献】
【特許文献】
【０００６】
【特許文献１】特開平９-５０５８４号公報
【特許文献２】特許第２８２３４９１号公報
【特許文献３】特開２００４−２４３７９０号公報
【発明の開示】
【発明が解決しようとする課題】
【０００７】
特許文献３に記載の盗難防止装置は、ＩＤキーによる照合と暗証番号による照合とをおこなっているが、すべての照合情報が一致すると許可信号が出力される構成であり、オペレータと管理者の両者にとって利便性が悪い。すなわち、オペレータは暗証番号を入力する必要があり、管理者はオペレータからＩＤキーを返却してもらう必要がある。
【０００８】
ＩＤキーによる照合をおこなう盗難防止装置（第１盗難防止装置）と暗証番号による照合をおこなう盗難防止装置（第２盗難防止装置）を並列に配置することも考えられる。第１盗難防止装置と第２盗難防止装置とのいずれかを選択し、第１盗難防止装置が選択され、ＩＤキーによる照合をおこない、照合情報が一致すると許可信号を出力し、第２盗難防止装置が選択され、暗証番号による照合をおこない、照合情報が一致すると許可信号を出力する。この構成によれば、オペレータはＩＤキーによる照合をおこなう盗難防止装置を用い、管理者は暗証番号による照合をおこなう盗難防止装置を用いるので、両者とも利便性は向上する。しかし、従来技術を単純に組合わせた構成では、以下のようなセキュリティ上の問題が生じる。
【０００９】
一般に、許可信号により禁止状態を解除する機構は複雑な配線となっており、盗難防止装置自体を破壊除去したり、自作の盗難防止装置を取り付けても適正に作動することはない。また、コネクタの形状や配置も正規の盗難防止装置と一致させる必要があるため、盗難者が自作の盗難防止装置を取り付けることは想定しがたい。このような理由から、盗難者は第１盗難防止装置を取り換えるか、第２盗難防止装置を取り換える方法を取る可能性がある。
【００１０】
別の建設機械に設置されている同機種の第１盗難防止装置およびこれに対応するＩＤキーを取得可能な場合、盗難者は第１盗難防止装置を取り換え、対応するＩＤキーを用いる。取り換えられた第１盗難防止装置は、ＩＤ情報による照合が一致するので、許可信号を出力する。すなわち盗難者は建設機械を始動でき、盗難防止装置は盗難を防止することができない。
【００１１】
また、別の建設機械に設置されている同機種の第２盗難防止装置を取得可能で、これに対応する暗証番号を知っている場合、盗難者は第２盗難防止装置を取り換え、対応する暗証番号を入力する。取り換えられた第２盗難防止装置は、暗証番号による照合が一致するので、許可信号を出力する。すなわち盗難者は建設機械を始動でき、盗難防止装置は盗難を防止することができない。
【００１２】
本発明の目的は、オペレータと管理者の両方の利便性を維持しつつ、セキュリティ性を向上できる盗難防止装置を提供することである。
【課題を解決するための手段】
【００１３】
（１）上記目的を達成するために、本発明は、第１照合情報を記憶する非接触媒体との送受信をおこなう非接触媒体送受信部と、第２照合情報を記憶する第１記憶部と、第１照合情報と第２照合情報とを照合する第１照合部とを有する第１盗難防止装置と、外部入力装置と、この外部入力装置から第３照合情報を入力する入力部と、第４照合情報を記憶する第２記憶部と、第３照合情報と第４照合情報とを照合する第２照合部と、機械動作の禁止状態を解除するための許可信号または機械動作の禁止状態を維持する禁止信号のいずれかの信号を出力する機械動作許可・禁止制御手段を有する第２盗難防止装置とを備えた建設機械の盗難防止装置において、前記第１盗難防止装置は、キー信号を入力しON・OFFを判定する第１キー信号判定部を有し、前記第２盗難防止装置は、第１照合情報と第４照合情報とを照合する第３照合部と、第２照合情報と第４照合情報とを照合する第４照合部とを有し、前記第１盗難防止装置は、前記第１照合部が第１照合情報と第２照合情報とを照合した結果、第１照合情報と第２照合情報とが一致する場合は、第１照合情報を前記第２盗難防止装置に出力し、前記第１キー信号判定部がキーONと判定してから所定時間内に第１照合情報を認識できない場合は、第２照合情報を前記第２盗難防止装置に出力し、前記第２盗難防止装置は、第１照合情報を入力し、前記第３照合部が第１照合情報と第４照合情報とを照合した結果、第１照合情報と第４照合情報とが一致する場合は、許可信号を出力し、第２照合情報を入力し、前記第４照合部が第２照合情報と第４照合情報とを照合した結果、第２照合情報と第４照合情報とが一致し、さらに前記第２照合部が第３照合情報と第４照合情報とを照合した結果、第３照合情報と第４照合情報とが一致する場合は、許可信号を出力する。
【００１４】
このように構成した本発明においては、オペレータが第１照合情報を記憶する非接触媒体（ＩＤキー）を用いると、第１盗難防止装置は第１照合情報を前記第２盗難防止装置に出力し、第２盗難防止装置は第１照合情報を入力し許可信号を出力する。これにより、オペレータは暗証番号を入力することなく、油圧ショベルを始動させることができる。
【００１５】
一方、管理者が外部入力装置を用いて暗証番号（第３照合情報）を入力すると、第１盗難防止装置は第２照合情報を前記第２盗難防止装置に出力し、第２盗難防止装置は第２照合情報を入力し許可信号を出力する。これにより、管理者は、非接触媒体（ＩＤキー）がなくとも暗証番号を入力することで、油圧ショベルを始動させることができる。
【００１６】
同時に、オペレータが非接触媒体（ＩＤキー）を用いる場合は、第1照合部と第３照合部の２箇所において照合をおこない、２箇所とも照合が一致したとき許可信号を出力する。管理者が暗証番号（第３照合情報）を入力する場合は、第４照合部と第２照合部の２箇所において照合をおこない、２箇所とも照合が一致したとき許可信号を出力する。これに対し従来の盗難防止装置では、オペレータがＩＤキーを用いる場合、第１盗難防止装置に相当する装置は第1照合部のみにおいて照合をおこない、照合が一致したとき許可信号を出力している。管理者が暗証番号を入力する場合、第２盗難防止装置に相当する装置は第２照合部のみにおいて照合をおこない、照合が一致したとき許可信号を出力している。したがって、照合箇所が増えることにより、従来の盗難防止装置に比べてセキュリティ性を向上できる。
【００１７】
このように本発明は、オペレータと管理者の両方の利便性を維持しつつ、セキュリティ性を向上できる。
【００１８】
（２）上記（１）において、好ましくは、前記第２盗難防止装置は、第１照合情報を入力し、前記第３照合部が第１照合情報と第４照合情報とを照合した結果、第１照合情報と第４照合情報とが一致しない場合は、禁止信号を出力する。
【００１９】
盗難者が第１盗難防止装置を取り換え、これに対応するＩＤキーを用いる場合、第２盗難防止装置は、第１照合情報と第４照合情報とが一致しないと判断し、禁止信号を出力する。これにより盗難者は油圧ショベルを始動することができず、盗難を防止でき、セキュリティ性を向上できる。
【００２０】
（３）上記（１）において、好ましくは、前記第２盗難防止装置は、第２照合情報を入力し、前記第４照合部が第２照合情報と第４照合情報とを照合した結果、第２照合情報と第４照合情報とが一致しない場合は、禁止信号を出力する。
【００２１】
盗難者が第２盗難防止装置を取り換え、これに対応する暗証番号を知っている場合、第２盗難防止装置は、第２照合情報と第４照合情報とが一致しないと判断し、禁止信号を出力する。これにより盗難者は油圧ショベルを始動することができず、盗難を防止でき、セキュリティ性を向上できる。
【００２２】
（４）上記（１）において、好ましくは、前記第２盗難防止装置は、キー信号を入力しON・OFFを判定する第２キー信号判定部を有し、前記第２キー信号判定部がキーONと判定してから所定時間内に第１照合情報と第２照合情報とのいずれも認識できない場合は、禁止信号を出力する。
【００２３】
盗難者が第１盗難防止装置を取り外し、第２盗難防止装置を取り換え、これに対応する暗証番号を知っている場合、第２盗難防止装置は、第２キー信号判定部がキーONと判定してから所定時間内に第１照合情報と第２照合情報とのいずれも認識できず、禁止信号を出力する。これにより盗難者は油圧ショベルを始動することができず、盗難を防止でき、セキュリティ性を向上できる。
【００２４】
（５）上記（１）において、好ましくは、前記第１照合情報は、第１ＩＤ情報と第１暗証番号を含み、前記第２照合情報は、第２ＩＤ情報を含み、前記第３照合情報は、第３暗証番号を含み、前記第４照合情報は、第４ＩＤ情報と第４暗証番号とを含み、前記第２盗難防止装置は、第１照合情報を入力し、前記第３照合部が第１照合情報と第４照合情報とを照合した結果、第１ＩＤ情報と第４ＩＤ情報とが一致し、かつ第１暗証番号と第４暗証番号とが一致する場合は、第１照合情報と第４照合情報とが一致したとして、許可信号を出力し、第２照合情報を入力し、前記第４照合部が第２照合情報と第４照合情報とを照合した結果、第２ＩＤ情報と第４ＩＤ情報とが一致し、さらに前記第２照合部が第３照合情報と第４照合情報とを照合した結果、第３暗証番号と第４暗証番号とが一致する場合は許可信号を出力する。
【００２５】
このように第３照合部は第１ＩＤ情報と第４ＩＤ情報の照合に加え、さらに第１暗証番号と第４暗証番号の照合をおこなうことにより、さらにセキュリティ性を向上できる。
【００２６】
また、照合情報として、非接触媒体（ＩＤキー）に記憶されるＩＤ情報と外部入力装置から入力される暗証番号を区別して、別種の情報として扱うことで、ＩＤ情報は膨大な情報量にも対応でき、これによりセキュリティ性をさらに向上でき、暗証番号の情報量を管理者が入力可能な程度の情報量（例えば英数字８桁）に制限でき、これにより管理者の利便性を向上できる。
【００２７】
（６）上記（５）において、好ましくは、第５ＩＤ情報と第５暗証番号とを含む第５照合情報と書換後の暗証番号となる第６暗証番号とを含む第６照合情報とを記憶する第３記憶部を有し、着脱自在に装着される照合情報書換装置をさらに備え、前記第２盗難防止装置は、第４照合情報と第５照合情報とを照合する第５照合部をさらに有し、前記照合情報書換装置が装着されると第５照合情報を入力し、前記第５照合部が第４照合情報と第５照合情報とを照合した結果、第４ＩＤ情報と第５ＩＤ情報とが一致し、かつ第４暗証番号と第５暗証番号とが一致する場合は、第６照合情報を入力し、第２記憶部に記憶された第４暗証番号を第６暗証番号に書き換える。
【００２８】
このような照合情報書換装置を備えることにより、第２盗難防止装置の第２記憶部に記憶された第４暗証番号を書き換えることができる。定期的に暗証番号を書き換えることにより、セキュリティ性をさらに向上できる。
【００２９】
（７）上記（６）において、好ましくは、前記第１盗難防止装置は、第２照合情報と第５照合情報とを照合する第６照合部をさらに有し、前記照合情報書換装置が装着されると第５照合情報を入力し、前記第６照合部が第２照合情報と第５照合情報とを照合した結果、第２ＩＤ情報と第５ＩＤ情報とが一致し、かつ前記第１照合部が第１照合情報と第２照合情報とを照合した結果、第１ＩＤ情報と第２ＩＤ情報とが一致する場合は、前記非接触媒体送受信部を介して第５暗証番号を前記非接触媒に出力し、前記非接触媒に記憶されている第１暗証番号を第５暗証番号に書き換える。
【００３０】
このような照合情報書換装置を備えることにより、上記（６）のように第２盗難防止装置の第２記憶部に記憶された第４暗証番号を書き換えるのにあわせて、非接触媒体（ＩＤキー）に記憶される第１暗証番号を書き換えることができる。これにより、オペレータは、非接触媒体を用いることができ、油圧ショベルを始動させることができる。
【００３１】
ところで、管理者は非接触媒体（ＩＤキー）を1本のみ作成し、暗証番号として初期値が記憶されたスペアキーを作成しておく。スペアキーを用いても、第1暗証番号(初期値)と第４暗証番号とが一致せず、油圧ショベルを始動させることがでない。これによりセキュリティ性をさらに向上できる。
【００３２】
また、スペアキーの暗証番号を書換えるとＩＤキーとして用いることができることにより、オペレータがＩＤキーを紛失した場合、ＩＤキーが盗難された場合にも適切に対応でき、オペレータの利便性を向上できる。
【発明の効果】
【００３３】
本発明によれば、オペレータと管理者の両方の利便性を維持しつつ、セキュリティ性を向上できる。
【図面の簡単な説明】
【００３４】
【図１】本発明における建設機械の盗難防止装置が搭載される油圧ショベルの要部構成を示す図である。
【図２】エンジンコントローラの一部であるスタータ制御部の制御機能の概要を示す図及び車体コントローラの一部であるゲートロック制御部の制御機能の概要を示す図である。
【図３】油圧ショベルの外観を示す図である。
【図４】第１実施形態の盗難防止装置の制御機能の概要を示す図である。
【図５】第２実施形態の盗難防止装置の制御機能の概要を示す図である。
【発明を実施するための形態】
【００３５】
以下、本発明の実施の形態を図面を用いて説明する。
【００３６】
＜第１実施形態＞
〜構成〜
図１は本発明における建設機械の盗難防止装置が搭載される油圧ショベルの要部構成を示す図である。建設機械の盗難防止装置３は、建設機械の代表例である油圧ショベルの運転席に設置されている。油圧ショベルは、エンジン制御系１と車体制御系２を備えている。
【００３７】
エンジン制御系１においてエンジンコントローラ１１は、キースイッチ１２の指令信号を入力し、所定の演算をし、演算結果を電子ガバナ１３ａやスタータ１３ｂに出力し、これにより、エンジン１３の始動及び停止を制御する。また、エンジンコントローラ１１は、エンジンコントロールダイヤル１４の指令信号とエンジン回転数センサ１５の検出信号を入力し、所定の演算をし、演算結果を電子ガバナ１３ａに出力し、これにより、エンジン１３の回転数とトルクを制御する。
【００３８】
車体制御系２において、車体コントローラ２１は油圧ショベルの油圧システムを電子制御するものであり、油圧システムはエンジン１３により駆動される油圧ポンプ（図示せず）からの吐出油により油圧ショベルのフロント装置等を駆動制御するものである。また、車体コントローラ２１はゲートロックスイッチ２２のＯＮ／ＯＦＦ信号を入力し、所定の演算をし、制御信号をゲートロック弁２３に出力する。油圧ショベル１の運転席には運転席の入口を制限する位置（ロック解除位置）と開放する位置（ロック位置）とに選択的に操作されるゲートロックレバー（図示せず）が設けられ、ゲートロックレバーがロック位置にあるとゲートロックスイッチ２２はＯＦＦ信号を出力し、車体コントローラ２１はゲートロック弁２３をパイロット圧の連通を遮断するよう作動させ、これによりフロント装置等への操作を無効とする。ゲートロックレバーがロック解除位置にあるとゲートロックスイッチ２２はＯＮ信号を出力し、車体コントローラ２１はゲートロック弁２３をパイロット圧が連通するよう作動させ、これによりフロント装置等への操作が可能となる。
【００３９】
盗難防止装置３は、外部入力装置（テンキー）３１と、ブザー３４と、表示装置３５と、第１盗難防止装置４０と、第２盗難防止装置５０とを有している。盗難防止装置３は、ＩＤキー３０、外部入力装置３１やキースイッチ１２からの情報を入力し、第１盗難防止装置４０、第２盗難防止装置５０において所定の演算をし、機械動作許可信号又は機械動作禁止信号をエンジンコントローラ１１及び車体コントローラ２１に出力する。
【００４０】
図２（ａ）はエンジンコントローラ１１の一部であるスタータ制御部１１ａの制御機能の概要を示す図である。スタータ制御部１１ａは、機械動作許可・禁止判断部１１ｂと増幅器１１ｃを有している。機械動作許可・禁止判断部１１ｂは、盗難防止装置３からの機械動作許可信号を入力すると閉じて、キースイッチ１２の指令信号（スタート信号）を入力して増幅器１１ｃを介してスタータ１３ｂに出力し、機械動作禁止信号を入力すると開き、キースイッチ１２の指令信号を遮断する。すなわち、盗難防止装置３が油圧ショベルの動作を禁止状態とするときは、キースイッチ１２を操作してもスタータ１３ｂは始動しない。
【００４１】
図２（ｂ）は車体コントローラ２１の一部であるゲートロック制御部２１ａの制御機能の概要を示す図である。ゲートロック制御部２１ａは、機械動作許可・禁止判断部２１ｂと増幅器２１ｃを有している。機械動作許可・禁止判断部２１ｂは、盗難防止装置３からの機械動作許可信号を入力すると閉じて、ゲートロックスイッチ２２の信号を入力して増幅器２１ｃを介してゲートロック弁２３に出力し、機械動作禁止信号を入力すると開き、ゲートロックスイッチ２２の信号を遮断する。すなわち、盗難防止装置３が油圧ショベルの動作を禁止状態とするときは、ゲートロックレバーをロック解除位置に操作してもフロント装置等への操作はできない。
【００４２】
図３は、油圧ショベルの外観を示す図である。油圧ショベルは下部走行体１００と上部旋回体１０１とフロント作業機１０２を備えている。下部走行体１００は左右のクローラ式走行装置１０３ａ，１０３ｂを有し、左右の走行モータ１０４ａ，１０４ｂにより駆動される。上部旋回体１０１は旋回モータ１０５により下部走行体１００上に旋回可能に搭載され、フロント作業機１０２は上部旋回体１０１の前部に俯仰可能に取り付けられている。上部旋回体１０１にはエンジンルーム１０６、運転室１０７が備えられ、エンジンルーム１０６にエンジン１３が配置され、運転室１０７内の運転席の入り口にゲートロックスイッチ２２をＯＮ／ＯＦＦするゲートロックレバーが設けられ、運転席１０８の左右にコントロールレバーユニットが配置されている。
【００４３】
フロント作業機１０２はブーム１１１、アーム１１２、バケット１１３を有する多関節構造であり、ブーム１１１はブームシリンダ１１４の伸縮により上下方向に回動し、アーム１１２はアームシリンダ１１５の伸縮により上下、前後方向に回動し、バケット１１３はバケットシリンダ１１６の伸縮により上下、前後方向に回動する。
【００４４】
図４は盗難防止装置３の制御機能の概要を示す図である。
【００４５】
盗難防止装置３は、上述の通り、外部入力装置３１と、ブザー３４と、表示装置３５と、第１盗難防止装置４０と、第２盗難防止装置５０とを有し、ＩＤキー３０、外部入力装置３１やキースイッチ１２からの情報を入力し、第１盗難防止装置４０、第２盗難防止装置５０において所定の演算をし、機械動作許可信号又は機械動作禁止信号をエンジンコントローラ１１及び車体コントローラ２１に出力する。
【００４６】
第１盗難防止装置４０は、ＩＤ１を記憶するＩＤキーとの送受信をおこなうＩＤキー送受信部４１と、ＩＤ２を記憶する記憶部４２と、ＩＤ１とＩＤ２とを照合する第1照合部４３と、第1照合部４３の照合結果に基づき所定の判断をおこなう判断部４４と、判断部４４の判断結果を第２盗難防止装置５０に出力する出力部４５と、キースイッチ１２からキー信号を入力しON・OFFを判定するキー信号判定部４６の制御機能を有している。
【００４７】
判断部４４は、第1照合部４３がＩＤ１とＩＤ２とを照合した結果、ＩＤ１とＩＤ２とが一致する場合は、ＩＤ１を第２盗難防止装置５０に出力するよう判断し、ＩＤ１とＩＤ２とが一致しない場合は、禁止信号を第２盗難防止装置５０に出力するよう判断する。
【００４８】
また判断部４４は、キー信号判定部４６がキーONと判定してから所定時間内にＩＤ１を認識できない場合は、ＩＤ２を第２盗難防止装置５０に出力するよう判断する。
【００４９】
第２盗難防止装置５０は、第１盗難防止装置４０の判断部４４の判断結果を入力する入力部５１と、外部入力装置３１からＩＤ３を入力する暗証番号入力部５２と、ＩＤ４を記憶する記憶部５３と、ＩＤ３とＩＤ４とを照合する第２照合部５４と、ＩＤ１とＩＤ４とを照合する第３照合部５５と、ＩＤ２とＩＤ４とを照合する第４照合部５６と、第２照合部５４、第３照合部５５、第４照合部５６の照合結果に基づき所定の判断をおこなう判断部５７と、ブザー３４に警報信号を出力する警報出力部５８と、表示装置３５に表示信号を出力する表示出力部５９と、機械動作の禁止状態を解除するための許可信号または機械動作の禁止状態を維持する禁止信号のいずれかの信号を出力する許可信号／禁止信号出力部６０と、キースイッチ１２からキー信号を入力しON・ＯＦＦを判定するキー信号判定部６１の制御機能を有している。
【００５０】
判断部５７は、入力部５１がＩＤ１を入力し、第３照合部５５がＩＤ１とＩＤ４とを照合した結果、ＩＤ１とＩＤ４とが一致する場合は、許可信号を出力するよう判断し、ＩＤ１とＩＤ４とが一致しない場合は、禁止信号と警告信号を出力するよう判断する。
【００５１】
判断部５７は、入力部５１が禁止信号を入力する場合には、禁止信号と警告信号を出力するよう判断する。
【００５２】
判断部５７は、入力部５１がＩＤ２を入力し、第４照合部５６がＩＤ２とＩＤ４とを照合した結果、ＩＤ２とＩＤ４とが一致する場合は、暗証番号を要求する表示信号を出力するよう判断し、ＩＤ２とＩＤ４とが一致しない場合は、禁止信号と警告信号を出力するよう判断する。さらに暗証番号入力部５２がＩＤ３を入力し、第２照合部５４がＩＤ３とＩＤ４とを照合した結果、ＩＤ３とＩＤ４とが一致する場合は、許可信号を出力するよう判断し、ＩＤ３とＩＤ４とが一致しない場合は、禁止信号と警告信号を出力するよう判断する。
【００５３】
また判断部５７は、キー信号判定部６１がキーONと判定してから所定時間内にＩＤ１とＩＤ２とのいずれも認識できない場合は、禁止信号と警告信号を出力するよう判断する。
【００５４】
以上において、第１照合部４３はＩＤ１とＩＤ２とを照合する第1照合部を構成し、第２照合部５４はＩＤ３とＩＤ４とを照合する第２照合部を構成し、第３照合部５５はＩＤ１とＩＤ４とを照合する第３照合部を構成し、第４照合部５６はＩＤ２とＩＤ４とを照合する第４照合部を構成し、キー信号判定部４６はキー信号を入力しON・OFFを判定する第1キー信号判定部を構成し、許可信号／禁止信号出力部６０は機械動作の禁止状態を解除するための許可信号または機械動作の禁止状態を維持する禁止信号のいずれかの信号を出力する機械動作許可・禁止制御手段を構成する。
【００５５】
第１盗難防止装置４０の判断部４４と出力部４５は、第1照合部４３がＩＤ１とＩＤ２とを照合した結果、ＩＤ１とＩＤ２とが一致する場合は、ＩＤ１を第２盗難防止装置５０に出力し、キー信号判定部４６がキーONと判定してから所定時間内にＩＤ１を認識できない場合は、ＩＤ２を第２盗難防止装置５０に出力する。
【００５６】
第２盗難防止装置５０の入力部５１と判断部５７と許可信号／禁止信号出力部６０は、ＩＤ１を入力し、第３照合部５５がＩＤ１とＩＤ４とを照合した結果、ＩＤ１とＩＤ４とが一致する場合は、許可信号を出力し、ＩＤ２を入力し、第４照合部５６がＩＤ２とＩＤ４とを照合した結果、ＩＤ２とＩＤ４とが一致し、さらに第２照合部５４がＩＤ３とＩＤ４とを照合した結果、ＩＤ３とＩＤ４とが一致する場合は、許可信号を出力する。
【００５７】
〜動作〜
（１）オペレータがＩＤキー３０を用いる場合の盗難防止装置３の動作について説明する。
【００５８】
オペレータには、予めＩＤ１が記憶されたＩＤキー３０が貸し出されている。オペレータがＩＤキー３０をキースイッチ１２に挿入すると、第１盗難防止装置４０はＩＤキー送受信部４１を介してＩＤ１を入力する。なお、このときキー信号判定部４６はキー信号を入力しキーONと判定する。第1照合部４３はＩＤ１とＩＤ２とを照合し、判断部４４はＩＤ１とＩＤ２とが一致すると判断し、出力部４５はＩＤ１を第２盗難防止装置５０に出力する。
【００５９】
第２盗難防止装置５０において、入力部５１がＩＤ１を入力し、第３照合部５５はＩＤ１とＩＤ４とを照合し、判断部５７はＩＤ１とＩＤ４とが一致すると判断し、許可信号／禁止信号出力部６０は許可信号を出力する。
【００６０】
これにより、オペレータは、暗証番号を入力することなく、油圧ショベルを始動させることができる。
【００６１】
同時に、盗難防止装置３は、第１盗難防止装置４０の第1照合部４３と第２盗難防止装置５０の第３照合部５５の２箇所において照合をおこない、２箇所とも照合が一致したとき許可信号を出力する。これに対し第１盗難防止装置に相当する従来の盗難防止装置は第1照合部のみにおいて照合をおこない、照合が一致したとき許可信号を出力している。したがって、照合箇所が増えることにより、従来の盗難防止装置に比べてセキュリティ性を向上できる。
【００６２】
なお、本動作において、第１盗難防止装置４０がＩＤ２でなくＩＤ１を出力するのは、ＩＤ１を出力することは、第1照合部４３で既に照合がおこなわれ、照合が一致したことを意味するためである。一方、後述のようにＩＤ２を出力することは、第1照合部４３で照合がおこなわれていないことを意味する。つまりＩＤ１とＩＤ２は、第１盗難防止装置４０における照合情報としては同一であるが、第２盗難防止装置５０に入力するときにおいて、第1照合部４３で既に照合がおこなわれたか否かの情報である点で異なる。
【００６３】
（２）管理者が暗証番号を入力する場合の盗難防止装置３の動作について説明する。
【００６４】
管理者は、盗難防止装置３の暗証番号（ＩＤ３）を第３者に知られないように厳重に管理している。管理者が故障修理のために建設機械の始動をするには、暗証番号（ＩＤ３）を用いる。  
管理者がＩＤキーでないキーをキースイッチ１２に挿入すると、第１盗難防止装置４０のキー信号判定部４６はキースイッチ１２からキー信号を入力しキーONと判定する。判断部４４はキー信号判定部４６がキーONと判定してから所定時間内（１秒未満）にＩＤ１を認識できないと判断し、出力部４５はＩＤ２を第２盗難防止装置５０に出力する。
【００６５】
第２盗難防止装置５０において、入力部５１がＩＤ２を入力し、第４照合部５５はＩＤ２とＩＤ４とを照合し、判断部５７はＩＤ２とＩＤ４とが一致すると判断し、表示出力部５９は暗証番号を要求する表示信号を出力する。表示装置３５には、暗証番号が要求されている旨が表示される。
【００６６】
管理者は外部入力装置を用いて暗証番号（ＩＤ３）を入力する。暗証番号入力部５２がＩＤ３を入力し、第２照合部５４はＩＤ３とＩＤ４とを照合し、判断部５７はＩＤ３とＩＤ４とが一致すると判断し、許可信号／禁止信号出力部６０は許可信号を出力する。
【００６７】
これにより、管理者は、ＩＤキーがなくとも暗証番号を入力することで、油圧ショベルを始動させることができる。
【００６８】
同時に、盗難防止装置３は、第２盗難防止装置５０の第４照合部５６と第２照合部５４の２箇所において照合をおこない、２箇所とも照合が一致したとき許可信号を出力する。これに対し第２盗難防止装置に相当する従来の盗難防止装置は第２照合部のみにおいて照合をおこない、照合が一致したとき許可信号を出力している。したがって、照合箇所が増えることにより、従来の盗難防止装置に比べてセキュリティ性を向上できる。
【００６９】
（３）盗難者が第１盗難防止装置４０を取り換え、対応するＩＤキー３０Ｘを用いる場合の盗難防止装置３の動作について説明する。盗難者により取り換えられた第１盗難防止装置を第１盗難防止装置４０Ｘとし、対応する構成にＸを付す。
【００７０】
盗難者は、予めに別の油圧ショベルに設置されている、第１盗難防止装置４０と同機種の第１盗難防止装置４０Ｘと、第１盗難防止装置４０Ｘに対応するＩＤキー３０Ｘを取得している。盗難者がＩＤキー３０Ｘをキースイッチ１２に挿入すると、第１盗難防止装置４０ＸはＩＤキー送受信部４１Ｘを介してＩＤ１Ｘを入力する。第1照合部４３ＸはＩＤ１ＸとＩＤ２Ｘとを照合し、判断部４４ＸはＩＤ１ＸとＩＤ２Ｘとが一致すると判断し、出力部４５ＸはＩＤ１Ｘを第２盗難防止装置５０に出力する。
【００７１】
第２盗難防止装置５０において、入力部５１がＩＤ１Ｘを入力し、第３照合部５５はＩＤ１ＸとＩＤ４とを照合し、判断部５７はＩＤ１ＸとＩＤ４とが一致しないと判断し、警告出力部５８は警告信号を出力し、許可信号／禁止信号出力部６０は禁止信号を出力する。
【００７２】
これにより、盗難者が第１盗難防止装置４０を取り換えた場合でも、盗難者は油圧ショベルを始動することができず、盗難を防止でき、セキュリティ性を向上できる。
【００７３】
（４）盗難者が第２盗難防止装置５０を取り換え、対応する暗証番号を知っている場合の盗難防止装置３の動作について説明する。盗難者により取り換えられた第２盗難防止装置を第２盗難防止装置５０Ｘとし、対応する構成にＸを付す。
【００７４】
盗難者は、予めに別の油圧ショベルに設置されている、第２盗難防止装置５０と同機種の第２盗難防止装置５０Ｘを取得し、第２盗難防止装置５０Ｘに対応する暗証番号(ＩＤ３Ｘ)を知っている。盗難者がＩＤキーでないキーをキースイッチ１２に挿入すると、第１盗難防止装置４０のキー信号判定部４６はキースイッチ１２からキー信号を入力しキーONと判定する。判断部４４はキー信号判定部４６がキーONと判定してから所定時間内（１秒未満）にＩＤ１を認識できないと判断し、出力部４５はＩＤ２を第２盗難防止装置５０Ｘに出力する。
【００７５】
第２盗難防止装置５０Ｘにおいて、入力部５１ＸがＩＤ２を入力し、第４照合部５５ＸはＩＤ２とＩＤ４Ｘとを照合し、判断部５７ＸはＩＤ２とＩＤ４Ｘとが一致しないと判断し、警告出力部５８Ｘは警告信号を出力し、許可信号／禁止信号出力部６０Ｘは禁止信号を出力する。
【００７６】
これにより、盗難者が第２盗難防止装置５０を取り換えた場合でも、盗難者は油圧ショベルを始動することができず、盗難を防止でき、セキュリティ性を向上できる。盗難者は暗証番号(ＩＤ３Ｘ)を知っていても、入力することさえできない。
【００７７】
（５）盗難者が第１盗難防止装置４０を取り外し、第２盗難防止装置５０を取り換え、対応する暗証番号を知っている場合の盗難防止装置３の動作について説明する。盗難者により取り換えられた第２盗難防止装置を第２盗難防止装置５０Ｘとし、対応する構成にＸを付す。
【００７８】
盗難者は、予めに別の油圧ショベルに設置されている、第２盗難防止装置５０と同機種の第２盗難防止装置５０Ｘを取得し、第２盗難防止装置５０Ｘに対応する暗証番号(ＩＤ３Ｘ)を知っている。そして、上記（４）と異なり第１盗難防止装置４０を取り外しさえすれば、取り換えられた第２盗難防止装置５０Ｘに暗証番号(ＩＤ３Ｘ)を入力して、油圧ショベルを始動できると考える可能性もある。
【００７９】
盗難者がＩＤキーでないキーをキースイッチ１２に挿入すると、第２盗難防止装置５０Ｘのキー信号判定部６１Ｘはキースイッチ１２からキー信号を入力しキーONと判定する。判断部５７Ｘはキー信号判定部６１ＸがキーONと判定してから所定時間内（１秒程度）にＩＤ１とＩＤ２とのいずれも認識できないと判断し、警告出力部５８Ｘは警告信号を出力し、許可信号／禁止信号出力部６０Ｘは禁止信号を出力する。
【００８０】
これにより、盗難者が第１盗難防止装置４０を取り外し、第２盗難防止装置５０を取り換えた場合でも、盗難者は油圧ショベルを始動することができず、盗難を防止でき、セキュリティ性を向上できる。盗難者は暗証番号(ＩＤ３Ｘ)を知っていても、入力することさえできない。
【００８１】
（６）盗難者が異なる暗証番号を入力する場合の盗難防止装置３の動作について説明する。異なる暗証番号をＩＤ３Ｘとする。
【００８２】
盗難者がＩＤキーでないキーをキースイッチ１２に挿入すると、第１盗難防止装置４０のキー信号判定部４６はキースイッチ１２からキー信号を入力しキーONと判定する。判断部４４はキー信号判定部４６がキーONと判定してから所定時間内（１秒未満）にＩＤ１を認識できないと判断し、出力部４５はＩＤ２を第２盗難防止装置５０に出力する。
【００８３】
第２盗難防止装置５０において、入力部５１がＩＤ２を入力し、第４照合部５５はＩＤ２とＩＤ４とを照合し、判断部５７はＩＤ２とＩＤ４とが一致すると判断し、表示出力部５９は暗証番号を要求する表示信号を出力する。表示装置３５には、暗証番号が要求されている旨が表示される。
【００８４】
盗難者は外部入力装置を用いて暗証番号（ＩＤ３Ｘ）を入力する。暗証番号入力部５２がＩＤ３Ｘを入力し、第２照合部５４はＩＤ３ＸとＩＤ４とを照合し、判断部５７はＩＤ３ＸとＩＤ４とが一致しないと判断し、許可信号／禁止信号出力部６０Ｘは禁止信号を出力する。
【００８５】
このとき、管理者が誤って異なる暗証番号を入力することも想定されるので、表示出力部５９は表示信号を出力し、表示装置３５には暗証番号が誤っている旨が表示される。３回連続で異なる暗証番号が入力されると、警告出力部５８は警告信号を出力する。
【００８６】
これにより、盗難者が異なる暗証番号を入力する場合は、盗難者は油圧ショベルを始動することができず、盗難を防止でき、セキュリティ性を向上できる。
【００８７】
（７）盗難者が異なるＩＤキー３０Ｘを用いる場合の盗難防止装置３の動作について説明する。ＩＤキー３０ＸにはＩＤ１Ｘが記憶されている。
【００８８】
盗難者がＩＤキー３０Ｘをキースイッチ１２に挿入すると、第１盗難防止装置４０はＩＤキー送受信部４１を介してＩＤ１Ｘを入力する。第1照合部４３はＩＤ１ＸとＩＤ２とを照合し、判断部４４はＩＤ１ＸとＩＤ２とが一致しないと判断し、出力部４５は禁止信号を第２盗難防止装置５０に出力する。
【００８９】
第２盗難防止装置５０において、入力部５１が禁止信号を入力し、判断部５７は禁止信号と判断し、許可信号／禁止信号出力部６０は禁止信号を出力する。
【００９０】
このとき、オペレータが誤って異なるＩＤキー３０Ｘを用いることも想定されるので、表示出力部５９は表示信号を出力し、表示装置３５にはＩＤキーが誤っている旨が表示される。３回連続で異なるＩＤ１Ｘが入力されると、警告出力部５８は警告信号を出力する。
【００９１】
これにより、盗難者が異なるＩＤキー３０Ｘを用いる場合は、盗難者は油圧ショベルを始動することができず、盗難を防止でき、セキュリティ性を向上できる。
【００９２】
〜効果〜
以上のように構成した本実施形態の盗難防止装置３においては、オペレータはＩＤキー３０を用いて暗証番号(ＩＤ３)を入力することなく油圧ショベルを始動させることができ、管理者はＩＤキー３０がなくとも暗証番号(ＩＤ３)を入力することで、油圧ショベルを始動させることができ、オペレータと管理者の両方の利便性を維持できる。
【００９３】
同時に、オペレータがＩＤキー３０を用いる場合は、第1照合部４３と第３照合部５５の２箇所において照合をおこない、２箇所とも照合が一致したとき許可信号を出力する。管理者が暗証番号を入力する場合は、第４照合部５６と第２照合部５４の２箇所において照合をおこない、２箇所とも照合が一致したとき許可信号を出力する。これに対し従来の盗難防止装置では、オペレータがＩＤキーを用いる場合、第１盗難防止装置に相当する装置は第1照合部のみにおいて照合をおこない、照合が一致したとき許可信号を出力している。管理者が暗証番号を入力する場合、第２盗難防止装置に相当する装置は第２照合部のみにおいて照合をおこない、照合が一致したとき許可信号を出力している。したがって、照合箇所が増えることにより、従来の盗難防止装置に比べてセキュリティ性を向上できる。
【００９４】
盗難者が第１盗難防止装置４０を取り換える場合は、第３照合部５５はＩＤ１ＸとＩＤ４とを照合し、判断部５７はＩＤ１ＸとＩＤ４とが一致しないと判断し、許可信号／禁止信号出力部６０は禁止信号を出力するので、盗難を防止できる。
【００９５】
盗難者が第２盗難防止装置５０を取り換える場合は、第４照合部５５ＸはＩＤ２とＩＤ４Ｘとを照合し、判断部５７ＸはＩＤ２とＩＤ４Ｘとが一致しないと判断し、許可信号／禁止信号出力部６０Ｘは禁止信号を出力ので、盗難を防止できる。
【００９６】
盗難者が第１盗難防止装置４０を取り外し、第２盗難防止装置５０を取り換える場合、判断部５７Ｘは所定時間内にＩＤ１とＩＤ２とのいずれも認識できないと判断し、許可信号／禁止信号出力部６０Ｘは禁止信号ので、盗難を防止できる。
【００９７】
すなわち、盗難防止装置３は、オペレータと管理者の両方の利便性を維持しつつ、セキュリティ性を向上できる。
【００９８】
＜第２の実施の形態＞
〜構成〜
本発明の第２実施形態を図５を用いて説明する。図５は、本発明の第２実施形態における建設機械の盗難防止装置３Ａの制御機能の概要を示す図である。第２実施形態の基本的構成は第１実施形態と同じであり、同等の構成には同じ符号を付している。
【００９９】
第１実施形態と第２の実施の形態との相違点は、第１実施形態では、照合情報として、ＩＤキー３０に記憶されるＩＤ情報と外部入力装置３１から入力される暗証番号とを区別せず同種な情報として扱っているが、第２実施形態では、照合情報として、ＩＤキー３０Ａに記憶されるＩＤ情報と外部入力装置３１Ａから入力される暗証番号を区別して、別種の情報として扱っている点である。
【０１００】
すなわち、ＩＤキー３０に記憶されるＩＤ情報は膨大な情報量にも対応できるのに対し、外部入力装置３１から入力される暗証番号は、管理者が入力可能な程度の情報量（例えば英数字８桁）に制限される。
【０１０１】
ＩＤキー３０ＡにはＩＤ１と第１暗証番号が記憶されている。第１盗難防止装置４０Ａにおいて、判断部４４Ａは、第1照合部４３がＩＤ１とＩＤ２とを照合した結果、ＩＤ１とＩＤ２とが一致する場合は、ＩＤ１と第１暗証番号を第２盗難防止装置５０Ａに出力するよう判断する。
【０１０２】
第２盗難防止装置５０Ａにおいて、暗証番号入力部５２は外部入力装置３１Ａから第３暗証番号を入力し、記憶部５３ＡはＩＤ４と第４暗証番号とを記憶し、第２照合部５４は第３暗証番号と第４暗証番号とを照合し、第３照合部５５ＡはＩＤ１とＩＤ４とを照合し、第１暗証番号と第４暗証番号とを照合する。
【０１０３】
判断部５７Ａは、入力部５１がＩＤ１と第１暗証番号を入力し、第３照合部５５ＡがＩＤ１とＩＤ４とを照合し、第１暗証番号と第４暗証番号とを照合した結果、ＩＤ１とＩＤ４とが一致し、かつ第1暗証番号と第４暗証番号とが一致する場合は、許可信号を出力するよう判断する。ＩＤ１とＩＤ４とが一致しない場合は、禁止信号と警告信号を出力するよう判断する。第1暗証番号と第４暗証番号とが一致しない場合は、禁止信号と警告信号を出力するよう判断する。
【０１０４】
判断部５７Ａは、入力部５１がＩＤ２を入力し、第４照合部５６がＩＤ２とＩＤ４とを照合した結果、ＩＤ２とＩＤ４とが一致する場合は、暗証番号を要求する表示信号を出力するよう判断し、ＩＤ２とＩＤ４とが一致しない場合は、禁止信号と警告信号を出力するよう判断する。さらに暗証番号入力部５２が第３暗証番号を入力し、第２照合部５４が第３暗証番号と第４暗証番号とを照合した結果、第３暗証番号と第４暗証番号とが一致する場合は、許可信号を出力するよう判断し、第３暗証番号と第４暗証番号とが一致しない場合は、禁止信号と警告信号を出力するよう判断する。
【０１０５】
さらに第２実施形態では、着脱自在に装着される照合情報書換装置３６を備え、照合情報書換装置３６を用いて照合情報を書き換えるための構成を付加している。
【０１０６】
照合情報書換装置３６は、ＩＤ５と第５暗証番号と書換後の暗証番号となる第６暗証番号とを記憶する記憶部３７を有し、着脱自在に盗難防止装置３Ａに装着される。
【０１０７】
第１盗難防止装置４０Ａは、付加構成として、ＩＤ２とＩＤ５とを照合する第６照合部４７と、暗証番号書換部４８とを有している。
【０１０８】
暗証番号書換部４８は、照合情報書換装置３６が装着されるとＩＤ５を入力し、第６照合部４７がＩＤ２とＩＤ５とを照合した結果、ＩＤ２とＩＤ５とが一致し、かつ第1照合部４３ＡがＩＤ１とＩＤ２とを照合した結果、ＩＤ１とＩＤ２情報とが一致する場合は、ＩＤキー送受信部４１を介して第５暗証番号をＩＤキー３０Ａに出力し、ＩＤキー３０Ａに記憶されている第１暗証番号を第５暗証番号に書き換える。
【０１０９】
なお、後述するように記憶部５３Ａの第４暗証番号が第６暗証番号に書き換えられた場合は、記憶部３７の第５暗証番号も第６暗証番号に書き換えられ、ＩＤキー３０Ａに記憶されている第１暗証番号は第６暗証番号（書換後の第５暗証番号）に書き換えられる。
【０１１０】
第２盗難防止装置５０Ａは、付加構成として、ＩＤ４とＩＤ５とを照合し第４暗証番号と第５暗証番号とを照合する第５照合部６２と、暗証番号書換部６３とを有している。
【０１１１】
暗証番号書換部６３は、照合情報書換装置３６が装着されるとＩＤ５と第５暗証番号とを入力し、第５照合部６２がＩＤ４とＩＤ５とを照合し第４暗証番号と第５暗証番号とを照合した結果、ＩＤ４とＩＤ５とが一致し、かつ第４暗証番号と第５暗証番号とが一致する場合は、第６暗証番号を入力し、記憶部５３Ａに記憶された第４暗証番号を第６暗証番号に書き換える。
【０１１２】
〜動作〜
（１）オペレータがＩＤキー３０Ａを用いる場合の盗難防止装置３Ａの動作について説明する。
【０１１３】
オペレータには、予めＩＤ１と第１暗証番号とが記憶されたＩＤキー３０Ａが貸し出されている。オペレータがＩＤキー３０Ａをキースイッチ１２に挿入すると、第１盗難防止装置４０ＡはＩＤキー送受信部４１を介してＩＤ１と第１暗証番号とを入力する。第1照合部４３はＩＤ１とＩＤ２とを照合し、判断部４４ＡはＩＤ１とＩＤ２とが一致すると判断し、出力部４５はＩＤ１と第１暗証番号とを第２盗難防止装置５０Ａに出力する。
【０１１４】
第２盗難防止装置５０Ａにおいて、入力部５１がＩＤ１と第１暗証番号とを入力し、第３照合部５５ＡはＩＤ１とＩＤ４とを照合し第１暗証番号と第４暗証番号とを照合し、判断部５７ＡはＩＤ１とＩＤ４とが一致しかつ第1暗証番号と第４暗証番号とが一致すると判断し、許可信号／禁止信号出力部６０は許可信号を出力する。
【０１１５】
これにより、オペレータは、暗証番号を入力することなく、油圧ショベルを始動させることができる。このとき、第３照合部５５ＡはＩＤ１とＩＤ４の照合に加え、さらに第１暗証番号と第４暗証番号の照合をおこなうことにより、第１実施形態に比べてセキュリティ性をさらに向上できる。
【０１１６】
また、照合情報として、ＩＤキー３０Ａに記憶されるＩＤ情報と外部入力装置３１Ａから入力される暗証番号を区別して、別種の情報として扱うことで、ＩＤキー３０Ａに記憶されるＩＤ情報は膨大な情報量にも対応でき、これによりセキュリティ性をさらに向上できる。
【０１１７】
（２）管理者が暗証番号を入力する場合の盗難防止装置３Ａの動作について説明する。
【０１１８】
管理者は、盗難防止装置３の暗証番号（第３暗証番号）を第３者に知られないように厳重に管理している。管理者が故障修理のために建設機械の始動をするには、暗証番号（第３暗証番号）を用いる。  
管理者がＩＤキーでないキーをキースイッチ１２に挿入すると、第１盗難防止装置４０Ａのキー信号判定部４６はキースイッチ１２からキー信号を入力しキーONと判定する。判断部４４Ａはキー信号判定部４６がキーONと判定してから所定時間内（１秒未満）にＩＤ１を認識できないと判断し、出力部４５はＩＤ２を第２盗難防止装置５０Ａに出力する。
【０１１９】
第２盗難防止装置５０Ａにおいて、入力部５１がＩＤ２を入力し、第４照合部５５はＩＤ２とＩＤ４とを照合し、判断部５７ＡはＩＤ２とＩＤ４とが一致すると判断し、表示出力部５９は暗証番号を要求する表示信号を出力する。表示装置３５には、暗証番号が要求されている旨が表示される。
【０１２０】
管理者は外部入力装置３１Ａを用いて暗証番号（第３暗証番号）を入力する。暗証番号入力部５２が第３暗証番号を入力し、第２照合部５４Ａは第３暗証番号と第４暗証番号とを照合し、判断部５７Ａは第３暗証番号と第４暗証番号とが一致すると判断し、許可信号／禁止信号出力部６０は許可信号を出力する。
【０１２１】
これにより、管理者は、ＩＤキーがなくとも暗証番号を入力することで、油圧ショベルを始動させることができる。
【０１２２】
また、照合情報として、ＩＤキー３０Ａに記憶されるＩＤ情報と外部入力装置３１Ａから入力される暗証番号を区別して、別種の情報として扱うことで、外部入力装置３１Ａから入力される第３暗証番号の情報量を管理者が入力可能な程度の情報量（例えば英数字８桁）に制限でき、これにより管理者の利便性を向上できる。
【０１２３】
（３）管理者が定期的に暗証番号を書き換える場合の盗難防止装置３Ａの動作について説明する。
【０１２４】
上述の通り、管理者は、暗証番号を第３者に知られないように厳重に管理していが、さらなるセキュリティ向上のため、管理者は定期的に暗証番号を書き換えることがある。管理者は照合情報書換装置３６を用いて照合情報を書き換える。
【０１２５】
照合情報書換装置３６が第２盗難防止装置５０Ａに装着されると、第５照合部６２はＩＤ４とＩＤ５とを照合し第４暗証番号と第５暗証番号とを照合し、暗証番号書換部６３はＩＤ４とＩＤ５とが一致しかつ第４暗証番号と第５暗証番号とが一致するとし、第６暗証番号を入力し、記憶部５３Ａに記憶された第４暗証番号を第６暗証番号に書き換える。
【０１２６】
しかし、第２盗難防止装置５０Ａにおいて第４暗証番号が第６暗証番号に書き換えられると、上述のようにオペレータがＩＤキー３０Ａを用いる場合、第1暗証番号と書換後の第４暗証番号（第６暗証番号）とが一致せず、油圧ショベルを始動させることができない。したがって、管理者はオペレータからＩＤキー３０Ａを一時返却してもらい、ＩＤキー３０Ａに記憶される第1暗証番号を書き換える必要がある。
【０１２７】
第２盗難防止装置５０Ａの記憶部５３Ａの第４暗証番号が第６暗証番号に書き換えられた場合は、同時に照合情報書換装置３６記憶部３７の第５暗証番号も第６暗証番号に書き換えられる。
【０１２８】
照合情報書換装置３６が第１盗難防止装置４０Ａに装着されると、第６照合部４７はＩＤ２とＩＤ５とを照合し、第１照合部４７はＩＤ１とＩＤ２とを照合し、暗証番号書換部４８はＩＤ２とＩＤ５とが一致しかつＩＤ１とＩＤ２とが一致するとし、ＩＤキー送受信部４１を介して第５暗証番号（上述のとおりこの時点では第６暗証番号に書き換えられている）をＩＤキー３０Ａに出力し、ＩＤキー３０Ａに記憶されている第１暗証番号を第５暗証番号（第６暗証番号）に書き換える。
【０１２９】
オペレータが暗証番号書換後のＩＤキー３０Ａを用いれば、書換後の第1暗証番号（第６暗証番号）と書換後の第４暗証番号（第６暗証番号）とが一致し、上記（１）と同様に油圧ショベルを始動させることができる。
【０１３０】
このように、照合情報書換装置３６を備えることにより、定期的に暗証番号を書き換えることができ、セキュリティ性をさらに向上できる。
【０１３１】
（４）オペレータがＩＤキーを紛失したため、管理者がスペアキーの暗証番号を書き換える場合の盗難防止装置３Ａの動作について説明する。
【０１３２】
セキュリティ管理の観点から管理者はＩＤキー（ＩＤ１、第１暗証番号記憶）を1本のみ作成し、そのＩＤキーをオペレータに貸し出す。しかし、オペレータがＩＤキーを紛失することも想定して、スペアキーを作成しておく。スペアキーにはＩＤ１が記憶されているが、暗証番号として初期値が記憶されている。スペアキーを用いる場合、第1暗証番号(初期値)と第４暗証番号とが一致せず、油圧ショベルを始動させることがでない。したがって、管理者はスペアキーに記憶される暗証番号を書き換える必要がある。管理者は照合情報書換装置３６を用いて照合情報を書き換える。
【０１３３】
照合情報書換装置３６が第１盗難防止装置４０Ａに装着されると、第６照合部４７はＩＤ２とＩＤ５とを照合し、第１照合部４７はＩＤ１とＩＤ２とを照合し、暗証番号書換部４８はＩＤ４とＩＤ５とが一致しかつ第４暗証番号と第５暗証番号とが一致するとし、ＩＤキー送受信部４１を介して第５暗証番号をスペアキーに出力し、スペアキーに記憶されている第１暗証番号（初期値）を第５暗証番号に書き換える。スペアキーには、ＩＤ１と第１暗証番号（第５暗証番号）とが記憶される。
【０１３４】
オペレータが暗証番号書換後のスペアキーを用いれば、第1暗証番号と第４暗証番号とが一致し、上記（１）と同様に、油圧ショベルを始動させることができる。
【０１３５】
このように、ＩＤキーを1本のみとし、スペアキーでは油圧ショベルを始動させることができないため、セキュリティ性をさらに向上できる。スペアキーの暗証番号を書換えるとＩＤキーとして用いることができることにより、オペレータがＩＤキーを紛失した場合にも適切に対応でき、オペレータの利便性を向上できる。
【０１３６】
（５）ＩＤキー３０Ａが盗難され、盗難者がＩＤキー３０Ａを用いる場合の盗難防止装置３の動作について説明する。
【０１３７】
盗難者がＩＤキー３０Ａを用いると、上記（１）のように油圧ショベルを始動させることができ、盗難を防止できない。管理者は迅速に暗証番号を書き換える必要がある。このときの盗難防止装置３Ａの動作は、上記（３）と同様であり、記憶部５３Ａに記憶されている第４暗証番号は第６暗証番号に書き換えられる。
【０１３８】
その後、盗難者がＩＤキー３０Ａを用いた場合、盗難者がＩＤキー３０Ａをキースイッチ１２に挿入すると、第１盗難防止装置４０ＡはＩＤキー送受信部４１を介してＩＤ１と第１暗証番号とを入力する。第1照合部４３はＩＤ１とＩＤ２とを照合し、判断部４４ＡはＩＤ１とＩＤ２とが一致すると判断し、出力部４５はＩＤ１と第１暗証番号とを第２盗難防止装置５０Ａに出力する。
【０１３９】
第２盗難防止装置５０Ａにおいて、入力部５１がＩＤ１と第１暗証番号とを入力し、第３照合部５５ＡはＩＤ１とＩＤ４とを照合し第１暗証番号と第４暗証番号とを照合し、判断部５７ＡはＩＤ１とＩＤ４とは一致するが、第1暗証番号と書換後の第４暗証番号（第６暗証番号に書換られている）とが一致しないと判断し、許可信号／禁止信号出力部６０は禁止信号を出力する。
【０１４０】
これにより、油圧ショベルを始動させることができず、盗難を防止でき、セキュリティ性をさらに向上できる。
【０１４１】
一方、管理者はスペアキーの暗証番号を書き換える。このときの盗難防止装置３Ａの動作は、上記（４）と同様であり、オペレータは暗証番号を書換えられたスペアキーをＩＤキーとして用いることができる。これによりＩＤキーが盗難された場合にも適切に対応でき、オペレータの利便性を向上できる。
【０１４２】
〜効果〜
第２実施形態の基本的構成は第１実施形態と同じであり、以上のように構成した第２実施形態の盗難防止装置３Ａにおいても、オペレータと管理者の両方の利便性を維持しつつ、セキュリティ性を向上できる。
【０１４３】
第３照合部５５ＡはＩＤ１とＩＤ４の照合に加え、さらに第１暗証番号と第４暗証番号の照合をおこなうことにより、第１実施形態に比べてセキュリティ性をさらに向上できる。
【０１４４】
また、照合情報として、ＩＤキー３０Ａに記憶されるＩＤ情報と外部入力装置３１Ａから入力される暗証番号を区別して、別種の情報として扱うことで、ＩＤキー３０Ａに記憶されるＩＤ情報は膨大な情報量にも対応でき、これによりセキュリティ性をさらに向上でき、一方、外部入力装置３１Ａから入力される第３暗証番号の情報量を管理者が入力可能な程度の情報量（例えば英数字８桁）に制限でき、これにより管理者の利便性を向上できる。
【０１４５】
照合情報書換装置３６を備えることにより、定期的に暗証番号を書き換えることができ、セキュリティ性をさらに向上できる。
【０１４６】
ＩＤキーを1本のみとし、スペアキーでは油圧ショベルを始動させることができないため、セキュリティ性をさらに向上できる。
【０１４７】
スペアキーの暗証番号を書換えるとＩＤキーとして用いることができることにより、オペレータがＩＤキーを紛失した場合、ＩＤキーが盗難された場合にも適切に対応でき、オペレータの利便性を向上できる。
【０１４８】
すなわち、第２実施形態の盗難防止装置３Ａは、利便性、セキュリティ性とも第１実施形態に比べてさらに向上できる。
【０１４９】
〜その他の実施形態〜
第２実施形態では、照合情報書換装置３６は暗証番号を書き換えたが、ＩＤ情報と暗証番号を書き換えてもよい。
【符号の説明】
【０１５０】
１  エンジン制御系
２  車体制御系
３，３Ａ  盗難防止装置
１１  エンジンコントローラ
１１ａ  スタータ制御部
１１ｂ  機械動作許可・禁止判断部
１１ｃ  増幅器
１２  キースイッチ
１３  エンジン
１３ａ  電子ガバナ
１３ｂ  スタータ
１４  エンジンコントロールダイヤル
１５  エンジン回転数センサ
２１  車体コントローラ
２１ａ  ゲートロック制御部
２１ｂ  機械動作許可・禁止判断部
２１ｃ  増幅器
２２  ゲートロックスイッチ
２３  ゲートロック弁
３０，３０Ａ  ＩＤキー
３１  外部入力装置
３４  ブザー  
３５  表示装置
３６  照合情報書換装置
３７記憶部
４０，４０Ａ  第１盗難防止装置
４１  ＩＤキー送受信部
４２  記憶部
４３  第1照合部
４４，４４Ａ  判断部  
４５  出力部
４６  キー信号判定部
４７  第６照合部
４８  暗証番号書換部
５０，５０Ａ  第２盗難防止装置
５１  入力部
５２  暗証番号入力部
５３，５３Ａ  記憶部
５４，５４Ａ  第２照合部
５５，５５Ａ  第３照合部
５６  第４照合部
５７，５７Ａ  判断部  
５８  警報出力部
５９  表示出力部
６０  許可信号／禁止信号出力部
６１  キー信号判定部
６２  第５照合部
６３  暗証番号書換部
１００  下部走行体
１０１  上部旋回体
１０２  フロント作業機
１０４ａ，１０４ｂ  走行モータ
１０５  旋回モータ
１０６  エンジンルーム
１０７  運転室
１０８  運転席
１１１  ブーム
１１２  アーム
１１３  バケット
１１４  ブームシリンダ
１１５  アームシリンダ
１１６  バケットシリンダ
【図１】
2011011672.tif 000003
【図２】
2011011672.tif 000004
【図３】
2011011672.tif 000005
【図４】
2011011672.tif 000006
【図５】
2011011672.tif 000007